(57)【要約】【課題】本発明は、発光強度、発光色を調整でき、同時に節電効果を有し、使用効率が高く、寿命が長く、コストの低い水槽用照明装置を提供することを課題とする。【解決手段】本発明の水槽用照明装置は、照明ユニット２１及びコントロールユニット２２を備える。照明ユニット２１は複数の発光ダイオード２１１を有する。発光ダイオード２１１は、隣同士に異なる色で発光するものが設置され、コントロールユニット２２と発光ダイオード２１１は電気的に接続されて、それぞれ異なる色で発光する発光ダイオードを調節する。【選択図】図２
2008293945.tif 000002
【特許請求の範囲】
【請求項１】
異なる色で発光する複数の発光ダイオードが隣接して設置され、かつ水槽に設置される照明ユニットと、
前記発光ダイオードに電気的に接続されて、それぞれ異なる色で発光する前記発光ダイオードを調節、コントロールするコントロールユニットとを備える、水槽用照明装置。
【請求項２】
前記コントロールユニットは輝度コントロールエリアを有し、前記輝度コントロールエリアはタッチパネルまたはつまみであることを特徴とする、請求項１に記載の水槽用照明装置。
【請求項３】
前記輝度コントロールエリアは、長方形、円形、のこぎり型、螺旋形、Ｗ字型、Ｚ字型、または不規則型に配置されていることを特徴とする、請求項２に記載の水槽用照明装置。
【請求項４】
前記コントロールユニットはディスプレーエリアを有し、前記ディスプレーエリアに前記照明ユニットの輝度を表示することを特徴とする、請求項１に記載の水槽用照明装置。
【請求項５】
前記コントロールユニットは電源のＯＮ，ＯＦＦをコントロールするためのスイッチを有し、前記スイッチはタッチスイッチ、押しボタン式スイッチ、つまみ式スイッチであることを特徴とする、請求項１に記載の水槽用照明装置。
【請求項６】
前記照明ユニットは、さらにカバーを備え、前記発光ダイオードは前記カバー内に設置されることを特徴とする、請求項１に記載の水槽用照明装置。
【請求項７】
前記照明ユニットは、さらに回路板を備え、前記発光ダイオードは前記回路板に設置されることを特徴とする、請求項１に記載の水槽用照明装置。
【請求項８】
前記コントロールユニットはコントロール回路を有し、前記コントロール回路はそれぞれ前記発光ダイオードの輝度をコントロールすることを特徴とする、請求項１に記載の水槽用照明装置。
【請求項９】
前記コントロールユニットはコントロール回路を有し、前記コントロール回路はそれぞれ前記発光ダイオードの色温をコントロールすることを特徴とする請求項１に記載の水槽用照明装置。
【発明の詳細な説明】
【技術分野】
【０００１】
本発明は、照明装置に関し、特に水槽用照明装置に関する。
【背景技術】
【０００２】
現代は、科学技術の進歩が日進月歩であり、それに伴い、生活水準も大幅に向上している。製品の質に対する要求もますます高くなる傾向にあり、生活に必要な身の回りの製品に関しても、その機能や美観に対する要求が高くなっている。照明装置も例外ではなく、蛍光灯、照明灯、電気スタンド、水槽用照明装置、ペンダントライト、ブラケット型ライトまたはネオン等、いずれもどこにでも見られる照明装置である。
【０００３】
図１は、従来の水槽１の構造を示した図である。水槽１は水槽用照明装置１１を有する。水槽用照明装置１１は水槽１に設置されて、使用者が水槽１の中に水草Ｇ等の造景を配置することで、水槽１の美観を高めることができる。このうち、水槽用照明装置１１は蛍光灯１１１である。また、水槽１はさらに、スイッチ１２を有し、スイッチ１２はそれぞれ水槽用照明装置１１及び外部電源１３に電気的に接続されて、水槽用照明装置１１のＯＮとＯＦＦをコントロールする。
【発明の開示】
【発明が解決しようとする課題】
【０００４】
しかしながら、季節の変化が早かったり、または温度変化が大きかったりした時、水槽１の水温もそれに伴って変化するのに対し、蛍光灯１１１の発光強度には制限がある。さらに、自由に輝度の変化もできない。このため、水槽１の水温を上げることができず、水草Ｇの生長にも影響する。また、蛍光灯１１１も異なる色の光線を選択できないので、水草Ｇの種類に応じて、異なる色のスペクトルの異なる光線によって水草の生長を促すことができない。
【０００５】
すなわち、従来の技術で使用されている水槽１１は、発光強度が不足しやすく、発光強度、色及びスペクトルを調整することができないだけでなく、蛍光灯１１１の寿命が短いために、度々交換しなければならず、コストの無駄が生じる。
【０００６】
したがって、本発明は、発光強度、発光色を調整でき、同時に節電効果を有し、使用効率が高く、寿命が長く、コストの低い水槽用照明装置を提供することを課題とする。
【課題を解決するための手段】
【０００７】
上記課題を解決するため、本発明は、発光強度、色を調整でき、同時に節電効果を有し、使用効率が高く、寿命が長く、コストの低い水槽用照明装置を提供することを目的とする。
【０００８】
上記目的を達成するため、本発明の水槽用照明装置は照明ユニット及びコントロールユニットを備える。照明ユニットは複数の発光ダイオードを有し、水槽に設置される。発光ダイオードは、隣同士に異なる色で発光するものが設置され、コントロールユニットは発光ダイオードに電気的に接続されて、それぞれ異なる色で発光する発光ダイオードを調節する。
【０００９】
上記のように、本発明の水槽用照明装置は、発光ダイオードを利用して照明の光源とする。従来の技術と比較すると、発光ダイオードは、消費電力が低い、寿命が長い、色の飽和度に優れる、発光効率が高い、色温度を調節できる等の優れた点を有する。頻繁に水槽用照明装置の光源を交換する無駄を回避し、さらに、安定した光線の提供、使用効率の向上、節電、使用コストの抑制が可能である。また、本発明は、コントロールユニットによって異なる色で発光する発光ダイオードを調節することで、使用者が異なる色の光線が選択できる。したがって、水草の生長を促すだけでなく、水槽の光線に変化が得られることにより、使用者の購買意欲を高めることができる。
【発明の効果】
【００１０】
本発明の水槽用照明装置は、発光ダイオードを利用して照明の光源としており、発光ダイオードは、消費電力が低い、寿命が長い、色の飽和度に優れる、発光効率が高い、色温度を調節できる等の優れた点を有する。頻繁に水槽用照明装置の光源を交換する無駄を回避し、さらに、安定した光線の提供、使用効率の向上、節電、使用コストの抑制が可能である。また、本発明は、コントロールユニットによって異なる色で発光する発光ダイオードを調節することで、使用者が異なる色の光線が選択できる。したがって、水草の生長を促すだけでなく、水槽の光線の変化が得られることにより、使用者の購買意欲を高めることができる。
【発明を実施するための最良の形態】
【００１１】
以下に図を参照しながら、本発明の好適な実施例における水槽用照明装置について説明する。
【００１２】
図２は、本発明の好適な実施例における水槽用照明装置２の構造を示した図である。水槽用照明装置２は水槽３に設置されて、水槽３が必要とする照明を提供する。水槽用照明装置２は、照明ユニット２１及びコントロールユニット２２を備える。照明ユニット２１はコントロールユニット２２に電気的に接続される。また、照明ユニット２１はカバーＡ内に設置される。
【００１３】
照明ユニット２１は、照明に必要な光線を提供する。照明ユニット２１は複数の発光ダイオード２１１を有し、この発光ダイオード２１１は回路板２１２に設置される。発光ダイオード２１１は、少なくとも１個の赤色発光ダイオード、少なくとも１個の緑色発光ダイオード、少なくとも１個の青色発光ダイオードまたは少なくとも１個の黄色発光ダイオードである。当然、発光ダイオード２１１は使用者の必要に応じていずれか１色であってもよく、または任意の複数の色の混合も可能であり、さらに、発光ダイオード２１１は隣り合わせとなるように設置される。そして、異なる色で発光する発光ダイオード２１１によって、異なる比率の光線混合光が提供され、混合によって白色光を発生させる外、さらに混合によって異なる色の光線を発生させることで各種の照明効果を生み出す。
【００１４】
コントロールユニット２２は、輝度コントロールエリア２２１、ディスプレーエリア２２２及びスイッチ２２３を有する。このうち、輝度コントロールエリア２２１は、照明ユニット２１の回路板２１２に電気的に接続されて、照明ユニット２１の発光ダイオード２１１の輝度、色系統、色温度を調整する。さらに、コントロールユニット２２は、異なる形状、様式が可能である。その内容を以下に説明する。
【００１５】
図３Ａから図３Ｃまでは、図２に示すコントロールユニットと異なる様式のコントロールユニット２２を示した図である。例えば、図３Ａ及び図３Ｂに示したように、コントロールユニット２２ａ、２２ｂの輝度コントロールエリア２２１ａ、２２１ｂはタッチパネルである。当然、図３Ｃに示したように、輝度コントロールエリア２２１ｃはつまみ式とすることも可能である。輝度コントロールエリア２２１ａ、２２１ｂがタッチパネルである時、使用者は手の指またはタッチペンで輝度コントロールエリア２２１ａ、２２１ｂに触れることにより、照明ユニット２１の発光ダイオード２２１の照明輝度及び色を調節する。輝度コントロールエリア２２１ｃがつまみである時は、使用者はつまみ２２１ｃを回転させる方式によって、照明ユニット２１の発光ダイオード２１１の照明輝度、色及び色温度を調節する。
【００１６】
このうち、輝度コントロールエリア２２１ａの形状は制限を受けず、長方形（図３Ａの例）、のこぎり型（図３Ｂの２２１ｂ）、螺旋形（図示はされない）、円形（図示はされない）、Ｗ字型（図示はされない）、Ｚ字型（図示はされない）、ｅ字型（図示はされない）または不規則型が可能である。
【００１７】
図３Ａにおいて、輝度コントロールエリア２２１ａは、照明ユニット２１の発光ダイオード２２１の色の種類によって、異なる輝度コントロールエリアを有する。例えば、水草が光合作用に必要な波長は４３５ｎｍ〜６１０ｎｍであるため、水草を養殖する時は、４３０ｎｍ、５５５ｎｍ、６３０ｎｍの三つの波長を有する発光ダイオード（Ｒ、Ｇ、Ｂ）を使用する。また、使用者の水槽内のデザインに合わせることも可能である。例えば、赤の水草を栽培する時には青、緑の光源を強くする必要があり、緑の水草を栽培する時は赤、青の光源を強くする必要がある。図に示したように、輝度コントロールエリア２２１ａは赤色の輝度コントロールエリア２２１ａＲ、緑色の輝度コントロールエリア２２１ａＧ及び青色の輝度コントロールエリア２２１ａＢを有し、使用者は水草Ｇ'の種類によって必要な波長を選択して、それぞれ異なる色の発光ダイオード２１１を調節することで、水草Ｇ'の生長を最良の状態に導く。あるいは、図３Ｂに示したように、輝度コントロールエリア２２１ｂは、全ての色の発光ダイオード２１１の混合光輝度を表示することが可能である。また、あるいは、図３Ｃに示したように、輝度コントロールエリア２２１ｃは、つまみ方式で各色の発光ダイオード２１１の発光輝度または発光ダイオード２１１の光が混合した後の単一輝度を表示する。
【００１８】
本発明のコントロールユニット２２は、輝度以外にも、コントロール回路（図示はされない）と照明ユニット２１の回路板２１２が電気的に接続されることで、照明ユニット２１の異なる色の発光ダイオード２１１の輝度及び色温度を調節する。例えば、照明ユニット２１は、赤、緑、青の三種類の異なる色について、それぞれの色の直列発光ダイオード（LED series ）（図示はされない）を有し、さらに、各直列発光ダイオード（LED series）は抵抗器（図示はされない）を介して並列に接続される。使用者は各抵抗器の抵抗値の変化によって個別に発光ダイオードのシリーズを通過する電流の大きさを調整する。
【００１９】
例えば、赤色の直列発光ダイオードを通過する電流値が大きければ大きいほど、赤色の直列発光ダイオードによって発生される輝度も大きく、色温度も高い。逆に、赤色の直列発光ダイオードを通過する電流値が小さければ小さいほど、赤色の直列発光ダイオードによって発生される輝度も小さく、色温度も低い。したがって、使用者は上述の方式またはその他の従来の回路コントロール方式によって、照明ユニット２１における異なる発光ダイオードまたは直列発光ダイオードを調節することが可能である。さらに、発光ダイオードの輝度及び色温度を変化させることで、季節または使用者の好みに応じて、水槽用照明装置２に異なる効果を生じさせることが可能である。
【００２０】
また、図３Ｂに示したように、輝度コントロールエリア２２１ｂは、複数のセクションに区分することが可能である。異なるセクションは輝度のレベルを意味する。当然、区分されるセクションの数は、実際の必要に応じて調整して、増減することができる。このように、使用者は簡単に輝度コントロールエリア２２１ｂに表示されたセクションによって必要な輝度を決定することができ、タッチ方式で輝度の変化が調節できる。
【００２１】
例えば、図３Ｂに示したように、使用者が照明の輝度をレベル１からレベル６に変更したい場合、コントロールユニット２２ｂの回路板（図示はされない）の定義によって、使用者は輝度コントロールエリア２２１ｂのレベル１のセクションＣ１にタッチする。
そして、輝度コントロールエリア２２１ｂに沿って、レベル６のセクションＣ６まで移動する。このうち、レベル１のセクションＣ１からレベル６のセクションＣ６への方向は、輝度が大きくなる方向であると定義する。あるいは、使用者は、輝度コントロールエリア２２１ｂのいずれかのセクションにタッチし、ただ輝度コントロールエリア２２１ｂに沿って五つのセクションの距離を移動するだけでよい。そうすることで、照明ユニット２１の照明輝度は元のレベル１からレベル６に変更できるのである。当然、使用者は直接輝度コントロールエリア２２１ｂのレベル６セクションにタッチすることでも、照明輝度をレベル６に調節することが可能である。すなわち、輝度コントロールエリア２２１ｂを使用して照明ユニット２１の照明輝度を調節する方法は、上記のいずれの方法にも限られるわけではなく、タッチコントロール方式を使用するいかなる方法でも、照明ユニット２１の照明輝度を調節することが可能である。これらはいずれも本実施例の範囲である。
【００２２】
さらに、図２に示したように、ディスプレーエリア２２２は照明ユニット２１に電気的に接続されて、照明ユニット２１の照明輝度レベルを表示する。ここで、ディスプレーエリア２２２は液晶表示パネルであり、例えば、液晶表示パネル（図３Ａ２２２ａ、図３Ｂ２２２ｂ及び図３Ｃの２２２ｃ）、複数の光源（図示はされない）または表示パネルと発光ダイオードの組み合わせ（図示はされない）によって、輝度の大きさを表示する。また、ディスプレーエリア２２２ａ、２２２ｃが照明ユニット２１の輝度変化を受けた時、図３Ａ及び３Ｃに示したように、照明ユニット２１の照明輝度レベルを液晶表示パネルに表示する。あるいは、図３Ｂに示したように、発光ダイオードの発光数量を利用して量化表示する。さらには、同時に表示パネル及び発光ダイオードを利用して照明ユニット２１の照明輝度レベルを表示させる。
【００２３】
さらに、ディスプレーエリア２２２が表示パネル２２２ａ（図３Ａに示したとおり）である時、その表示方式は表示パネル２２２ａ中の色の明暗の変化を利用する。あるいは、数字方式（図３Ｂ２２２ｂに示すとおり）によっても、照明輝度レベルを表示することが可能である。当然、表示パネルは両者同時に使用した表示方式でも可能である。すなわち、表示パネルを使用して照明ユニット２１の照明輝度を表示する方法は上記のいずれかの方法に制限されず、いかなる表示パネルの使用によって照明ユニット２１の照明輝度レベルを表示する方法も全て本実施例の範囲である。
【００２４】
図２に示したように、スイッチ２２３はコントロールユニット２２の電源入力端子２２４に電気的に接続されることで、外部電源４に電気的に接続されて、水槽用照明装置２のＯＮまたはＯＦＦをコントロールする。このうち、スイッチ２２３は、タッチスイッチ（図３Ａの２２３ａに示すとおり）、つまみ式スイッチ（図３Ｂの２２３ｂに示すとおり）または押しボタンスイッチ（図３Ｃの２２３ｃに示すとおり）である。また、スイッチ２２３はいかなる位置にも設置が可能である。
【００２５】
このほか、コントロールユニット２２はさらにシチュエーションタッチコントロールエリア（図示はされない）を有する。照明ユニット２１の種類が異なることによって、シチュエーションタッチコントロールエリアは、異なるシチュエーションモードの複数のタッチボタン（図示はされない）を有する。例えば、照明ユニット２１が複数の赤色発光ダイオード、青色発光ダイオード及び緑色発光ダイオードからなる場合は、シチュエーションコントロールスイッチエリアが、照明シチュエーションコントロールボタン、読書シチュエーションコントロールボタン、睡眠シチュエーションコントロールボタンまたはキャンドルシチュエーションボタン等を有する。所定のパラメーターによって、異なる色及び異なる輝度の光線を混合して発光することにより、使用者が異なる状況において速やかに必要な環境様式を選択することができる。
【００２６】
上記のように、本発明の水槽用照明装置は、発光ダイオードを光源として利用している。従来の技術と比較すると、発光ダイオードは、消費電力が低い、寿命が長い、色の飽和度に優れている、発光効率が高い、色温度が調整できる等の優れた特徴を有する。頻繁に水槽用照明装置の光源を交換する必要がないだけでなく、安定した光線を提供し、使用効率を高め、節電を図り、同時に使用コストの抑制も可能である。また、コントロールユニットによって異なる色の発光ダイオードを調整することで、使用者が異なる色の光線を選択できる。したがって、水草の生長のスピードをコントロールすることが可能である外、水族箱の光線を変化させることが可能であり、使用者の購買意欲を高めることができる。
【００２７】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００２８】
【図１】従来の水槽の構造を示した図である。
【図２】本発明の好適な実施例の水槽用照明装置の構造を示した図である。
【図３Ａ】図２に示すコントロールユニットと異なる状態のコントロールユニットを示した図である。
【図３Ｂ】図２に示すコントロールユニットと異なる状態のコントロールユニットを示した図である。
【図３Ｃ】図２に示すコントロールユニットと異なる状態のコントロールユニットを示した図である。
【符号の説明】
【００２９】
１、３  水槽
１１、２  水槽用照明装置
１１１  蛍光灯
１２、２２３、２２３ａ、２２３ｂ、２２３ｃ  スイッチ
１３、４  外部電源
２１  照明ユニット
２１１  発光ダイオード
２２、２２ａ、２２ｂ、２２ｃ  コントロールユニット
２２１、２２１ａ、２２１ａＢ、２２１ａＧ、２２１ａＲ、２２１ｂ、２２１ｃ  輝度コントロールエリア
２２２、２２２Ａ、２２２Ｂ、２２２Ｃ  ディスプレーエリア
２２４  電源入力端子
Ａ  カバー
Ｃ１-Ｃ８  輝度レベル
Ｇ、Ｇ'  水草
【図１】
2008293945.tif 000003
【図２】
2008293945.tif 000004
【図３Ａ】
2008293945.tif 000005
【図３Ｂ】
2008293945.tif 000006
【図３Ｃ】
2008293945.tif 000007